(57)【要約】  本発明は、イコライザのタップ係数算出精度を向上して受信特性を向上できるようにすることを目的の一つとする。そのため、各パスタイミングのチャネル推定値をそれぞれ求め、各パスタイミングの受信電力と所定の電力閾値（Ｐ０）とに基づいてチャネル推定値をゼロにするパスタイミングを検出し、検出したパスタイミングのチャネル推定値をゼロに制御する。
2008136079.tif 000002
【特許請求の範囲】
【請求項１】
複数パスから到来する信号の各パスタイミングのチャネル推定値と前記各パス間の相関値とに基づいて得られる重み付け合成係数により、受信信号系列を重み付け合成するイコライザの制御装置であって、
前記各パスタイミングのチャネル推定値をそれぞれ求めるチャネル推定手段と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御手段と
をそなえたことを特徴とする、イコライザの制御装置。
【請求項２】
前記チャネル推定値制御手段は、
前記電力閾値を超えるパスタイミング以外のパスタイミングを、前記チャネル推定値をゼロにする対象のパスタイミングとして検出することを特徴とする、請求項１記載のイコライザの制御装置。
【請求項３】
前記チャネル推定値制御手段は、
前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出することを特徴とする、請求項１記載のイコライザの制御装置。
【請求項４】
逆拡散処理前の前記受信信号系列の積の平均により前記相関値を求める相関演算手段をさらにそなえたことを特徴とする、請求項１〜３のいずれか１項に記載のイコライザの制御装置。
【請求項５】
前記チャネル推定値制御手段による制御前の前記各チャネル推定値の積と雑音推定値とに基づいて前記相関値を求める相関演算手段をさらにそなえたことを特徴とする、請求項１〜３のいずれか１項に記載のイコライザの制御装置。
【請求項６】
前記チャネル推定値制御手段による制御後の前記各チャネル推定値の積と雑音推定値とに基づいて前記相関値を求める相関演算手段をさらにそなえたことを特徴とする、請求項１〜３のいずれか１項に記載のイコライザの制御装置。
【請求項７】
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記電力閾値を大きくなる方向に制御し、マルチパス状態を示している示していると判定されると、前記電力閾値を小さくなる方向に制御することを特徴とする、請求項１〜６のいずれか１項に記載のイコライザの制御装置。
【請求項８】
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記タイミング閾値を小さくなる方向に制御し、マルチパス状態を示していると判定されると、前記タイミング閾値を大きくなる方向に制御することを特徴とする、請求項３記載のイコライザの制御装置。
【請求項９】
請求項１〜８のいずれか１項に記載のイコライザの制御装置をそなえたことを特徴とする、無線端末。
【請求項１０】
複数パスから到来する信号の各パスタイミングのチャネル推定値と前記各パス間の相関値とに基づいて得られる重み付け合成係数により、受信信号系列を重み付け合成するイコライザの制御方法であって、
前記各パスタイミングのチャネル推定値をそれぞれ求めるチャネル推定過程と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御過程と
を有することを特徴とする、イコライザの制御方法。
【請求項１１】
前記チャネル推定値制御過程では、
前記電力閾値を超えるパスタイミング以外のパスタイミングを、前記チャネル推定値をゼロにする対象のパスタイミングとして検出することを特徴とする、請求項１０記載のイコライザの制御方法。
【請求項１２】
前記チャネル推定値制御過程では、
前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出することを特徴とする、請求項１０記載のイコライザの制御方法。
【請求項１３】
逆拡散処理前の前記受信信号系列の積の平均により前記相関値を求めることを特徴とする、請求項１０〜１２のいずれか１項に記載のイコライザの制御方法。
【請求項１４】
前記チャネル推定値制御過程による制御前の前記各チャネル推定値の積と雑音推定値とに基づいて前記相関値を求めることを特徴とする、請求項１０〜１２のいずれか１項に記載のイコライザの制御方法。
【請求項１５】
前記チャネル推定値制御過程による制御後の前記各チャネル推定値の積と雑音推定値とに基づいて前記相関値を求めることを特徴とする、請求項１０〜１２のいずれか１項に記載のイコライザの制御方法。
【請求項１６】
前記チャネル推定値制御過程では、
前記各パスタイミングの受信電力に基づいて前記受信信号系列の受信状態が非マルチパス状態を示しているか否かを判定し、
前記非マルチパス状態を示していると判定されると、前記電力閾値を大きくなる方向に制御する一方、マルチパス状態を示していると判定されると、前記電力閾値を小さくなる方向に制御することを特徴とする、請求項１０〜１５のいずれか１項に記載のイコライザの制御方法。
【請求項１７】
前記チャネル推定値制御過程では、
前記各パスタイミングの受信電力に基づいて前記受信信号系列の受信状態が非マルチパス状態を示しているか否かを判定し、
前記非マルチパス状態を示していると判定されると、前記タイミング閾値を小さくなる方向に制御する一方、マルチパス状態を示していると判定されると、前記タイミング閾値を大きくなる方向に制御することを特徴とする、請求項１２記載のイコライザの制御方法。
【発明の詳細な説明】
【技術分野】
【０００１】
本発明は、イコライザの制御装置及び制御方法並びに前記制御装置をそなえた無線端末に関する。本発明は、複数パスから到来するマルチパス信号を受信しうる無線環境において受信信号を等化するイコライザを具備する装置（例えば、携帯電話等の無線端末）に用いると好適である。
【背景技術】
【０００２】
Ｗ−ＣＤＭＡ方式では、チップレートが高いため、マルチパス干渉が発生する。このマルチパス干渉を低減するための技術として、ＦＩＲフィルタ等のイコライザ（例えば、後記非特許文献１，２参照）や、ＣＣＭＲＭ（chip correlation MMSE (minimum mean square error) receiver with MICT (multi-path interference correlative timing))）（例えば、後記非特許文献３参照）と呼ばれる技術がある。【０００３】
これらの技術は、パス間の相関を利用して、干渉成分をうまくキャンセルするように、かつ、信号成分がなるべく大きくなるように重み付け合成係数（タップ係数）を決める。ここで、干渉を除去するために、信号（パス）タイミング付近の受信データを例えば１チップ以内の等間隔タイミングで用いる。【０００４】
例えば、イコライザ（ＦＩＲフィルタ）は、受信データを単位時間（１チップ）ずつ遅延させるためのｎ個（ｎは２以上の整数）の遅延回路と、これらの遅延回路の出力にタップ係数ｗ1，ｗ2，…，ｗn（以下、単にタップ係数ｗとも表記する）をそれぞれ乗算するｎ個の乗算器と、これらの乗算器の出力を加算（総和）する加算回路とをそなえて構成され、受信データは、前記各遅延回路にて遅延されることにより、遅延されない受信データを含めてｎ個のデータ系列となり、当該データ系列にそれぞれタップ係数ｗが乗算された上で、加算回路にて加算（総和）される。【０００５】
ここで、前記タップ係数ｗは、パス間の相関を表す（ｉ行ｊ列の）相関行列Ｒとチャネル推定値ｈとを用いた以下の連立一次方程式(1.1)を解くことにより求められる。
【数１】
2008136079.tif 000003
【０００６】
また、ＣＣＭＲＭでは、下記の(1.2)式で表されるように、相関行列Ｒを求めるときに逆拡散前の信号ｄの積〔（ｉ−ｊ）サンプルだけパスタイミングのずれた信号ｄi+k，ｄj+kの一方を共役複素数として他方に乗算〕の平均値が用いられる。なお、(1.2)式において、*が共役複素数であることを表し、ｋはパス番号を表す。
【数２】
2008136079.tif 000004
【０００７】
この(1.2)式は、イコライザでは、チャネル推定値ｈ，雑音推定値ｎを用いて、以下の(1.3)式で表すことができる。
【数３】
2008136079.tif 000005
【０００８】
ただし、この(1.3)式において、δi,jは、クロネッカのデルタを表す。【０００９】
このとき、あらかじめ決められた窓幅分（タップ係数の数）のチャネル推定値ｈ、相関行列Ｒを求めることになるが、窓幅には、マルチパス干渉除去のために、目的（希望波）の信号（パス）タイミング以外のタイミングも含まれている。また、チャネル推定値ｈは、共通パイロット信号を逆拡散することにより求められる。【００１０】
なお、マルチパス干渉を低減する既知の技術として、他に下記特許文献１〜４に記載された技術もある。
特許文献１の技術は、スペクトラム拡散レイク受信機に関し、マルチパスのパスタイミングを検出し、そのパスタイミングを逆拡散タイミングとして設定し、任意の２つのパスの間の遅延時間分だけ、一方のパスタイミングを中心に、他方のパスタイミングと対象の位置の２つのタイミングを逆拡散タイミングとして、２つのパスの組み合わせのすべてに対して設定し、設定された各タイミングに対応して受信信号の逆拡散信号を求め、各逆拡散信号を合成することが行なわれる。【００１１】
特許文献２の技術は、隣接基地局からの干渉を除去する技術であり、隣接基地局から到来する干渉成分を除去するための干渉低減タイミングτ±（τ2−τ1）を決定するとともに、通信中基地局からのマルチパスのパスタイミングτを決定し、これらのタイミングを逆拡散タイミングτ，τ±（τ2−τ1）として、受信スペクトル拡散信号を逆拡散し、当該逆拡散結果を重み付け合成することにより、干渉成分を低減するようになっている。【００１２】
特許文献３の技術は、検出されたパス数が多くても、現実的なハードウェアの規模でＭＩＸＲ（Multipath Interference eXchange Reduction）機能を有するレイク受信機を実現するもので、パスサーチにより検出されたパスタイミングと、当該パスタイミングから生成されたＭＩＣＴの中から、フィンガの数に等しい数のタイミングを選択してフィンガに与える。タイミングの選択にあたっては、レイク合成後のＳＮＩＲの予測値を受信信号から計算し、それが最大となるようにパスタイミング及びＭＩＣＴを選択する。【００１３】
特許文献４の技術は、パス数が増加する場合であっても効果的な干渉雑音低減が可能となるレイク受信機に関し、Ｎパスの直接スペクトラム拡散信号の受信時に、当該Ｎパスのそれぞれの受信タイミングｔi（ｉ＝１〜Ｎ）を検出し、当該受信タイミングｔiからｉ番目のパスの逆拡散値に入るｊ番目（ｊ＝１〜Ｎ，ｊ≠ｉ）のパスからの干渉と相関を有する逆拡散値が得られるタイミングｔi,j,k（ｋ＝１〜Ｎ，ｋ≠ｊ）を逆拡散タイミングとして、受信信号を逆拡散し、その逆拡散信号を合成する。
【特許文献１】特開２００３−１３３９９９号公報
【特許文献２】特開２００５−３５４４５９号公報
【特許文献３】特開２００５−９４１３４号公報
【特許文献４】国際公開第ＷＯ ２００４／０２５８６０号パンフレット
【非特許文献１】A. Klein，“Data Detection Algorithms Specially Designed for the Downlink of Mobile Radio Systems”，Proc. of IEEE VTC'97，PP.203-207，Phoenix，May 1997
【非特許文献２】3GPP R4-040680，“HSDPA improvements for UE categories 7 and 8”，Nokia，TSG RAN WG4#33，Nov 2004
【非特許文献３】長谷川，清水，「符号ビットCCMRM方式の検討」，電子情報通信学会総合大会，B-5-8，2006
【発明の開示】
【発明が解決しようとする課題】
【００１４】
本来、信号がないタイミングのチャネル推定値は０であるが、上述した従来技術では、信号がないタイミングにおいても、逆拡散を行なってチャネル推定値を求めるため、雑音成分がチャネル推定値となってしまう場合がある。その結果、イコライザのタップ係数算出精度が劣化し、受信特性が劣化してしまう。【００１５】
なお、前記特許文献１〜４に記載の技術は、いずれも干渉低減効果を狙って逆拡散タイミングの設定を工夫しているものの、雑音成分のタイミングを回避できるようにはなっておらず、また、チャネル推定値の求め方については通常通りであるため、かかる課題を解決できるものではない。【００１６】
本発明は、前記課題に鑑み創案されたもので、その目的の一つは、イコライザのタップ係数算出精度を向上して受信特性を向上できるようにすることにある。【００１７】
ただし、当該目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１８】
上記の目的を達成するために、本発明では、以下に示すイコライザの制御装置及び制御方法並びに前記制御装置をそなえた無線端末を用いることを要旨としている。即ち、
（１）本発明のイコライザの制御装置は、複数パスから到来する信号の各パスタイミングのチャネル推定値と前記各パス間の相関値とに基づいて得られる重み付け合成係数により、受信信号系列を重み付け合成するイコライザの制御装置であって、
(a)前記各パスタイミングのチャネル推定値をそれぞれ求めるチャネル推定手段と、
(b)前記各パスタイミングの受信電力と所定の電力閾値とに基づいてチャネル推定値をゼロにする対象のパスタイミングを検出し、検出したパスタイミングのチャネル推定値をゼロに制御するチャネル推定値制御手段と
をそなえたことを要旨としている。【００１９】
（２）ここで、前記チャネル推定値制御手段は、前記電力閾値を超えるパスタイミング以外のパスタイミングを、前記チャネル推定値をゼロにする対象のパスタイミングとして検出するようにしてもよい。【００２０】
（３）また、前記チャネル推定値制御手段は、前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出するようにしてもよい。【００２１】
（４）さらに、前記制御装置は、逆拡散処理前の前記受信信号系列の積の平均により前記相関値を求める相関演算手段をさらにそなえていてもよい。【００２２】
（５）また、前記制御装置は、前記チャネル推定値制御手段による制御前の前記各チャネル推定値の積と雑音推定値とに基づいて前記相関値を求める相関演算手段をさらにそなえていてもよい。【００２３】
（６）さらに、前記制御装置は、前記チャネル推定値制御手段による制御後の前記各チャネル推定値の積と雑音推定値とに基づいて前記相関値を求める相関演算手段をさらにそなえていてもよい。【００２４】
（７）また、前記チャネル推定値制御手段は、前記各パスタイミングの受信電力に基づいて前記受信信号系列の受信状態が非マルチパス状態を示しているか否かを判定する判定部をそなえ、前記判定部にて前記非マルチパス状態を示していると判定されると、前記所定の電力閾値を大きくなる方向に制御し、マルチパス状態を示していると判定されると、前記電力閾値を小さくなる方向に制御するようにしてもよい。【００２５】
（８）さらに、前記チャネル推定値制御手段は、前記各パスタイミングの受信電力に基づいて前記受信信号系列の受信状態が非マルチパス状態を示しているか否かを判定する判定部をそなえ、前記判定部にて前記非マルチパス状態を示していると判定されると、前記タイミング閾値を小さくなる方向に制御し、マルチパス状態を示していると判定されると、前記タイミング閾値を大きくなる方向に制御するようにしてもよい。【００２６】
（９）また、本発明の無線端末は、前記（１）〜（８）のいずれか１つに記載のイコライザの制御装置をそなえたことを要旨としている。【００２７】
（１０）さらに、本発明のイコライザの制御方法は、複数パスから到来する信号の各パスタイミングのチャネル推定値と前記各パス間の相関値とに基づいて得られる重み付け合成係数により、受信信号系列を重み付け合成するイコライザの制御方法であって、
(a)前記各パスタイミングのチャネル推定値をそれぞれ求めるチャネル推定過程と、
(b)前記各パスタイミングの受信電力と所定の電力閾値とに基づいてチャネル推定値をゼロにする対象のパスタイミングを検出し、検出したパスタイミングのチャネル推定値をゼロに制御するチャネル推定値制御過程と
を有することを要旨としている。【００２８】
（１１）ここで、前記チャネル推定値制御過程では、前記電力閾値を超えるパスタイミング以外のパスタイミングを、前記チャネル推定値をゼロにする対象のパスタイミングとして検出してもよい。【００２９】
（１２）また、前記チャネル推定値制御過程では、前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出してもよい。【００３０】
（１３）さらに、前記制御方法は、逆拡散処理前の前記受信信号系列の積の平均により前記相関値を求めてもよい。【００３１】
（１４）また、前記制御方法は、前記チャネル推定値制御過程による制御前の前記各チャネル推定値の積と雑音推定値とに基づいて前記相関値を求めるようにしてもよい。【００３２】
（１５）さらに、前記制御方法は、前記チャネル推定値制御過程による制御後の前記各チャネル推定値の積と雑音推定値とに基づいて前記相関値を求めるようにしてもよい。【００３３】
（１６）また、前記チャネル推定値制御過程では、前記各パスタイミングの受信電力に基づいて前記受信信号系列の受信状態が非マルチパス状態を示しているか否かを判定し、前記非マルチパス状態を示していると判定されると、前記電力閾値を大きくなる方向に制御する一方、マルチパス状態を示していると判定されると、前記電力閾値を小さくなる方向に制御してもよい。【００３４】
（１７）さらに、前記チャネル推定値制御過程では、前記各パスタイミングの受信電力に基づいて前記受信信号系列の受信状態が非マルチパス状態を示しているか否かを判定し、前記非マルチパス状態を示していると判定されると、前記タイミング閾値を小さくなる方向に制御する一方、マルチパス状態を示していると判定されると、前記タイミング閾値を大きくなる方向に制御してもよい。
【発明の効果】
【００３５】
本発明によれば、少なくとも以下に示すいずれか効果ないし利点が得られる。
（１）雑音成分がチャネル推定値となることを抑制することができる。したがって、イコライザで用いる重み付け合成係数の算出精度を向上して、受信特性を向上することができる。【００３６】
（２）ここで、チャネル推定値をゼロにする対象のパスタイミングは、前記電力閾値を超えるパスタイミング以外のすべてとしても受信特性の向上を見込めるが、前記電力閾値を超えるパスタイミング近傍のパスタイミングでは有効なチャネル推定値が得られる確率が高いため、当該パスタイミングと、当該パスタイミングを含む所定のタイミング閾値以内の他のパスタイミングのチャネル推定値を有効とし、他のパスタイミングを前記雑音成分のパスタイミングとしてそのチャネル推定値をゼロとすることにより、さらに受信特性を向上することが可能となる。【００３７】
（３）また、重み付け合成係数を求める際に使用する各パス間の相関値を、前記雑音成分のパスタイミングのチャネル推定値を０に制御した後の各チャネル推定値の積と雑音推定値とに基づいて求めれば、重み付け合成係数の精度をより向上することができるので、さらに受信特性を向上することができる。【００３８】
（４）また、受信信号系列の受信状態が非マルチパス状態にある場合は、マルチパス干渉が小さくマルチパス干渉除去効果が小さいので、前記電力閾値を大きく（あるいは前記タイミング閾値を小さく）して０にするチャネル推定値のタイミングを増やすことで、受信特性を向上することができる。逆に、マルチパス状態にある場合は、前記電力閾値を小さく（あるいは前記タイミング閾値を大きく）して０にするチャネル推定値のタイミングを減らすことで、マルチパス干渉除去効果を増大させて、受信特性を向上することができる。【００３９】
なお、上記に限らず、後述する発明を実施するための最良の形態に示す各構成により導かれる効果であって、従来の技術によっては得られない効果を奏することも本発明に特有の効果ないし利点の一つとして位置付けることができる。
【図面の簡単な説明】
【００４０】
【図１】本発明の一実施形態に係る無線受信装置の要部の構成を示すブロック図である。
【図２】図１に示すＦＩＲフィルタ部の構成を示すブロック図である。
【図３】図１に示すウェイト（Ｗ）算出部の構成を示すブロック図である。
【図４】図３に示すウェイト算出部におけるチャネル推定値制御部の動作（チャネル推定値の足きり処理）を説明するための模式図である。
【図５】図４に示す足きり処理を補足説明すべくチップ時間に対するフィルタ係数を示すグラフである。
【図６】図４に示す足きり処理による効果を説明するためのグラフである。
【図７】図１に示すウェイト算出部の第１変形例を示すブロック図である。
【図８】図１に示すウェイト算出部の第２変形例を示すブロック図である。
【図９】図１に示すウェイト算出部の第３変形例を示すブロック図である。
【図１０】図９に示すウェイト算出部におけるチャネル推定値制御部の動作（チャネル推定値の足きり処理）を説明するための模式図である。
【図１１】図９に示すウェイト算出部におけるチャネル推定値制御部の動作（チャネル推定値の足きり処理）を説明するための模式図である。
【図１２】図９に示すウェイト算出部におけるチャネル推定値制御部の動作（チャネル推定値の足きり処理）を説明するための模式図である。
【図１３】図１に示すウェイト算出部の第４変形例を示すブロック図である。
【図１４】図１３に示すウェイト算出部におけるチャネル推定値制御部の動作（チャネル推定値の足きり処理）を説明するための模式図である。
【図１５】図１３に示すウェイト算出部におけるチャネル推定値制御部の動作（チャネル推定値の足きり処理）を説明するための模式図である。
【符号の説明】
【００４１】
１０  共通パイロットチャネル（ＣＰＩＣＨ）逆拡散部（チャネル推定手段）
２０  ＦＩＲフィルタ部（イコライザ）
２１  遅延回路
２２  タップ乗算器
２３  加算回路（Σ）
３０  ウェイト（Ｗ）算出部
３１  相関行列演算ブロック（相関演算手段）
３１１  タイミング遅延回路
３１２  複素乗算器
３１３  平均化部
３１３ａ  加算器
３２  行列演算部
３３  平均化部
３４  電力化部
３５，３５ａ，３５ｂ  チャネル推定値制御部
３６  １パス判定部
４０  窓タイミング制御部
５０  データ逆拡散部
【発明を実施するための最良の形態】
【００４２】
以下、図面を参照して本発明の実施の形態を説明する。ただし、以下に示す実施形態は、あくまでも本発明の要旨の理解を助けるための例示に過ぎず、以下に示す実施形態で明示しない種々の変形や技術の適用を排除する意図はない。即ち、本発明は、その趣旨を逸脱しない範囲で種々変形（実施例を組み合わせる等）して実施できる。【００４３】
〔１〕一実施形態の説明
図１は本発明の一実施形態に係る無線受信装置の要部の構成を示すブロック図で、この図１に示す無線受信装置は、共通パイロットチャネル（ＣＰＩＣＨ）逆拡散部１０と、イコライザ（ＦＩＲフィルタ部）２０と、ウェイト（タップ係数）算出部３０と、窓タイミング制御部４０と、データ逆拡散部５０とをそなえて構成されている。なお、当該無線受信装置は、例えば、携帯電話などの無線端末の受信系として適用することができる。【００４４】
ここで、ＣＰＩＣＨ逆拡散部（チャネル推定手段）１０は、受信データと所定の拡散コードレプリカとの相関演算結果に基づいて複数パスから到来するＣＰＩＣＨの信号（マルチパス信号）の各パスタイミングを検出して、当該パスタイミングにて受信データを逆拡散処理することにより、前記各パスタイミングでのチャネル推定値をそれぞれ求めることができるものである。なお、受信データとは、アンテナにおいて受信された後、低雑音増幅器による増幅、周波数変換（ダウンコンバート）、直交検波、ＡＤ変換、帯域制限等が行なわれた後のディジタルベースバンド信号データを意味する。【００４５】
ＦＩＲフィルタ部（イコライザ）２０は、マルチパス干渉を低減する目的で、前記受信データを等化（イコライジング）するものである。
このため、当該ＦＩＲフィルタ部２０は、例えば図２に示すように、入力受信データ（データチャネルの受信信号系列）を単位時間（１チップ）ずつ遅延させるためのｎ個（ｎは２以上の整数）の遅延回路２１と、これらの遅延回路２１の出力にタップ係数ｗ1，ｗ2，…，ｗnをそれぞれ乗算するｎ個のタップ乗算器２２と、これらのタップ乗算器２２の出力を加算（総和）する加算回路（Σ）２３とをそなえて構成される。【００４６】
窓タイミング制御部４０は、ＦＩＲフィルタ部２０でのフィルタリングに用いるタップ係数ｗの数（窓幅を決める窓タイミング）を制御するものであり、データ逆拡散部５０は、ＦＩＲフィルタ部２０の出力を逆拡散して復調結果を得るものである。【００４７】
そして、ウェイト算出部３０は、前記ＣＰＩＣＨ逆拡散部１０と協働してイコライザ２０の制御装置としての機能を果たし、前記受信データとＣＰＩＣＨ逆拡散部３０での逆拡散結果とに基づいて、ＦＩＲフィルタ部２０で用いる（前記タップ乗算器２２に与える）タップ係数ｗを算出する機能を具備するもので、本例では、例えば図３に示すように、相関行列演算ブロック３１（タイミング遅延回路３１１、複素乗算器３１２及び平均化部３１３）と、行列演算部３２と、平均化部３３と、電力化部３４と、チャネル推定値制御部３５とをそなえて構成される。【００４８】
ここで、タイミング遅延回路３１１、複素乗算器３１２及び平均化部３１３から成る相関行列演算ブロック３１は、前記の(1.2)式で表されるチップレベルの相関行列Ｒ（各パス間の相関値）を求めるもので、タイミング遅延回路３１１及び複素乗算器３１２によって、（ｉ−ｊ）サンプルだけ異なるパスタイミングの逆拡散前の前記受信データ（信号ｄi+k，ｄj+k）の一方を共役複素数として他方に乗算し、その乗算結果を各パスについて累積的に平均化部３１３にて加算（平均化）することで、ｉ×ｊ個の相関値を要素とするｉ行ｊ列の相関行列Ｒi,jを求めることができるようになっている。換言すれば、本例の相関行列演算ブロック３１は、逆拡散処理前の受信信号系列ｄの積の平均により相関行列Ｒを求める相関演算手段として機能する。【００４９】
また、平均化部３３は、ＣＰＩＣＨ逆拡散部１０でのＣＰＩＣＨ信号の逆拡散結果（チャネル推定値）を平均化するものであり、電力化部３４は、前記逆拡散結果を電力化して前記各パスタイミングでの受信電力〔パス電力プロファイル（あるいは遅延プロファイルともいう）〕を求めるものである。【００５０】
チャネル推定値制御部３５は、電力化部３４で得られた前記パス電力プロファイルと所定の電力閾値とに基づいて、ＣＰＩＣＨ逆拡散部１０及び平均化部３３を通じて求められ、行列演算部３２でタップ係数ｗを求めるのに用いられるチャネル推定値（平均値）を制御（補正）するもので、例えば、電力化部３４で得られたパス電力プロファイルと前記電力閾値とを比較して、当該電力閾値を超える電力値のパスタイミング（チャネル推定値を０にする対象のパスタイミング）を判別（検出）し、そのパスタイミングを含む所定タイミング範囲（タイミング閾値）内のタイミングで得られたチャネル推定値を有効なチャネル推定値とし、それ以外のタイミングで得られたチャネル推定値は雑音（干渉）成分のパスのチャネル推定値と判定して０に置き換えるようになっている。【００５１】
行列演算部３２は、相関行列演算ブロック３１で得られた相関行列Ｒとチャネル推定値制御部３５で制御されたチャネル推定値とを用いて前記(1.1)式を解く（つまり、相関行列Ｒの逆行列Ｒ-1とチャネル推定値ｈとの積をとる）ことにより、前記タップ係数ｗを求めるものである。【００５２】
上述のごとく構成された本実施形態の無線受信装置では、受信データがＣＰＩＣＨ逆拡散部１０に入力されて、ＣＰＩＣＨ信号が逆拡散されてチャネル推定値ｈ０が求められ、ウェイト算出部３０に入力される。【００５３】
ウェイト算出部３０では、前記相関行列演算ブロック３１（タイミング遅延回路３１１、複素乗算器３１２及び平均化部３１３）にて、逆拡散前の受信データの積の平均によって相関行列Ｒが求められるとともに、平均化部３３及び電力化部３４により、それぞれ、前記チャネル推定値ｈ０の平均値及びパス電力プロファイルが求められる。【００５４】
これらの平均値及びパス電力プロファイルはチャネル推定値制御部３５に入力され、チャネル推定値制御部３５では、例えば、パス電力プロファイルと電力閾値との比較により、チャネル推定値を０にする対象のパスタイミング（雑音成分に相当するパスタイミング）を検出（判定）して当該パスタイミングのチャネル推定値を０に制御する。【００５５】
例えば、前記パス電力プロファイルが図４の（１）に示すようになっていると仮定する。この場合、チャネル推定値制御部３５は、図４の（２）に示すように、当該パス電力プロファイル中の各パスタイミングの電力値と電力閾値Ｐ０とを比較して、当該電力閾値Ｐ０を超える３つのパスタイミング（◎印参照）と、それぞれのパスタイミングを基準として±Ｎサンプル（Ｎは自然数で、ここでは例えばＮ＝１）の範囲内にある４つのパスタイミング（○印参照）とを有効なパスタイミングと判定して当該有効パスタイミングの各チャネル推定値ｈ０を有効なチャネル推定値とする。そして、図４の（３）に示すように、それ以外のパスタイミング（×印参照）は雑音成分のパスタイミングと判定して、当該パスタイミングのチャネル推定値ｈ０を０に置き換える（足きり処理する）。なお、電力閾値Ｐ０は、例えば、パスの最大電力値に定数（例えば０．１）を乗じることにより求めることができる。【００５６】
このように雑音成分と判定したパスタイミングのチャネル推定値ｈ０を０に置き換えた後の各チャネル推定値ｈ１は、行列演算部３２に入力され、行列演算部３２では、当該足きり処理後のチャネル推定値ｈ１と、前記相関行列演算ブロック３１で逆拡散処理前の受信データから求められた相関行列Ｒとを用いて前記(1.1)式を解くことにより、タップ係数ｗを求め、ＦＩＲフィルタ部２０のタップ乗算器２２に出力する。【００５７】
以上のように、本実施形態では、チップレベルの相関行列Ｒの逆行列Ｒ-1とチャネル推定値との積をタップ係数ｗとして、連続的なタイミングの受信データを合成して受信する装置において、受信ＣＰＩＣＨ信号の逆拡散により各パスタイミングのチャネル推定値ｈ０を求めた後、電力閾値Ｐ０を超えるパスタイミングを有効なパスタイミングと判定し、当該パスタイミングの±Ｎサンプル（タイミング閾値）の範囲外のパスタイミングを、雑音成分（チャネル推定値を０にする対象）のパスタイミングと判定して、そのパスタイミングのチャネル推定値ｈ０を０に置き換える（足きり処理する）。【００５８】
したがって、雑音成分に相当するパスタイミングのチャネル推定値が有効なチャネル推定値としてタップ係数の算出に用いられることを抑制することができ、タップ係数ｗの算出精度を向上することができる。その結果、受信特性を向上することができる。【００５９】
なお、電力閾値Ｐ０を超えるパスタイミング以外のチャネル推定値ｈ０は単純にすべて０に置き換えることもできるが、信号点付近の受信信号波形は例えば図５に示すような波形となる傾向が強く、信号点に近いタイミングでは有効な値が得られる確率が高い。そこで、上述のごとく±Ｎサンプルの範囲内のタイミングを有効なパスタイミングとして残した方が、タップ係数算出精度を向上して受信特性を向上することができる。【００６０】
図６に本例のシミュレーション結果を示す。この図６の横軸は総送信電力（Ior）に占めるデータチャネルの電力（Ec）割合を示し、縦軸は受信スループット（kbps）を示している。また、シミュレーション条件は、送信ダイバーシティの閉ループモード１で、ＦＲＣ（Fixed Reference Channel）の変調方式＝ＱＰＳＫ、総送信電力（Ior）／雑音電力（Ioc）＝１０ｄＢ、Ｎ＝２、Ｐ０は最大パス電力の１／３２としている。【００６１】
そして、この図６において、符号３００が本例による足きり処理を行なった場合の受信特性、符号４００が当該足きり処理を行なわない従来技術の受信特性をそれぞれ表し、本例による場合の方が受信スループット特性を約０．５ｄＢ改善できることが分かる。【００６２】
〔２〕第１変形例の説明
図７は上述したウェイト算出部３０の変形例を示すブロック図で、この図７に示すウェイト算出部３０は、図３に示した構成に比して、相関行列演算ブロック３１において、逆拡散前の受信データから相関行列Ｒを求めるのではなく、ＣＰＩＣＨ逆拡散部１０での逆拡散結果の平均（平均化部３５の出力）である前記足きり処理前のチャネル推定値ｈ０と、雑音推定値（ｎ2Ｉ）とに基づいて相関行列Ｒを求めるように構成されている点が異なる。【００６３】
即ち、タイミング遅延回路３１１及び複素乗算器３１２にて、平均化部３３の出力データ（チャネル推定値ｈ０）に関して、（ｉ−ｊ）サンプルだけタイミングの異なるパスのチャネル推定値ｈ０の一方を共役複素数として他方に乗算することを、チャネル推定値ｈ０を求めたすべてのパスタイミングについて行ない、その結果を加算器３１３ａにて累積的に加算するとともに、雑音推定値（ｎ2Ｉ）を加算することにより、相関行列Ｒを求めるのである。これは、前記足きり処理前のチャネル推定値ｈ０を用いて前記の(1.3)式で表される演算を行なうことに相当する。【００６４】
つまり、本例におけるタイミング遅延回路３１１，複素乗算器３１２及び加算器３１３ａから成る相関行列演算ブロック３１は、前記チャネル推定値制御部３７による制御前の各チャネル推定値ｈ０の積（（ｉ−ｊ）サンプルだけタイミングの異なるパスのチャネル推定値ｈ０の一方を共役複素数として他方に乗算すること）と、雑音推定値（ｎ2Ｉ）とに基づいて相関行列Ｒを求める相関演算手段として機能する。
なお、その他の既述の符号と同一符号を付した構成要素は、特に断らない限り、既述の構成要素と同一若しくは同様のものである。【００６５】
したがって、ＣＰＩＣＨ信号の逆拡散処理により得られるチャネル推定値ｈ０を用いて相関行列Ｒを求める本例においても、チャネル推定値制御部３５は、図４により前述した動作と同様にして、パス電力プロファイル中、電力閾値Ｐ０を超えるタイミングを有効なパスタイミングと判定し、当該パスタイミングの±Ｎサンプルの範囲外のタイミングのチャネル推定値ｈ０を０に置き換える（足きり処理する）ことにより、雑音成分に相当するパスのチャネル推定値が有効なチャネル推定値としてタップ係数の算出に用いられることを抑制して、タップ係数ｗの算出精度を向上することができる。その結果、受信特性を向上することができる。【００６６】
〔３〕第２変形例の説明
図８はウェイト算出部３０の第２変形例を示すブロック図で、この図８に示すウェイト算出部３０は、図３に示した構成に比して、相関行列演算ブロック３１において、チャネル推定値制御部３５にて足きり処理された後のチャネル推定値ｈ１がタイミング遅延回路３１１及び複素乗算器３１２に入力されて、相関行列Ｒが当該足きり処理後のチャネル推定値ｈ１と雑音推定値（ｎ2Ｉ）とに基づいて求められるようになっている点が異なる。【００６７】
つまり、本例の相関行列演算ブロック３１（タイミング遅延回路３１１，複素乗算器３１２及び加算器３１３ａ）は、チャネル推定値制御手段３７による制御後（足きり処理後）の各チャネル推定値ｈ１の積（ｉ−ｊだけタイミングの異なるパスのチャネル推定値ｈ１の一方を共役複素数として他方に乗算すること）と、雑音推定値（ｎ2Ｉ）とに基づいて相関行列Ｒを求める相関演算手段として機能する。
なお、その他の既述の符号と同一符号を付した構成要素は、特に断らない限り、既述の構成要素と同一若しくは同様のものである。【００６８】
したがって、既述の実施形態と同様の作用効果が得られるほか、相関行列Ｒを求めるのに用いるチャネル推定値に関しても、チャネル推定値制御部３７にて雑音成分に相当するパスタイミングのチャネル推定値が０で置き換えられることになるので、既述の実施形態及び第１変形例に比して、相関行列Ｒの算出精度をも向上してタップ係数算出精度をさらに向上することができる。その結果、受信特性をより向上させることができる。【００６９】
〔４〕第３変形例の説明
図９は既述のウェイト算出部３０の第３変形例を示すブロック図で、この図９に示すウェイト算出部３０は、既述のチャネル推定値制御部３５に代えてチャネル推定値制御部３５ａをそなえるほか、１パス判定部３６をそなえて構成されている。なお、既述の相関行列演算ブロック３１〔タイミング遅延回路３１１，複素乗算器３１２，平均化部３１３（又は加算器３１３ａ）〕，行列演算部３２，平均化部３３，電力化部３４については図示を省略している。【００７０】
ここで、１パス判定部３６は、現在の伝搬環境（受信状態）が１パス（あるいはそれに近い）環境（非マルチパス環境）か否かを判定する機能を具備するもので、例えば、パスサーチ結果からフェージング変動（チャネル推定値を求める時間単位）よりも十分に長い時間測定した（平均化した）パス電力プロファイルの情報を基に１パス（あるいはそれに近い環境）かそうでないかを精度良く判定することができるようになっている。なお、以下、伝搬環境が１パスあるいはそれに近い環境を「１パス環境」と称し、その判定を「１パス判定」と称する。【００７１】
より詳細には、例えば図１０に模式的に示すように、前記パス電力プロファイルにおける最大パス電力と、それ以外の電力の和の比が基準値（閾値）を超える場合に、１パス環境であると判定することができる。なお、前記基準値は、典型的なマルチパス環境と１パス環境とを想定した場合、４程度に定めることができる。【００７２】
そして、チャネル推定値制御部３５ａは、当該１パス判定部３６による判定結果と、前記パス電力プロファイルと、２つの電力閾値Ｐ１及びＰ２（Ｐ１＞Ｐ２）と、タイミング閾値Ｔとに基づいて、共通パイロット逆拡散部１０を通じて求められたチャネル推定値を制御（補正）するもので、例えば図１０に示すように、前記１パス判定結果が１パス環境を示す場合には、大きい方の電力閾値Ｐ１を用いて、当該電力閾値Ｐ１未満のタイミングのチャネル推定値を０に置き換え、マルチパス環境を示す場合には、小さい方の電力閾値Ｐ２を用いて、当該電力閾値Ｐ２未満のタイミングのチャネル推定値を０に置き換えるようになっている。【００７３】
即ち、共通パイロット信号の逆拡散結果のパス電力プロファイルが図１１の（１）に示すようになっており、１パス判定部３６での判定結果がマルチパス環境を示している場合、チャネル推定値制御部３５ａは、図１１の（２）に示すように、当該パス電力プロファイル中の各パスタイミングの電力値と小さい方の電力閾値Ｐ２とを比較して、当該電力閾値Ｐ２を超えるパスタイミング（◎印参照）と、それぞれのパスタイミングを基準としてタイミング閾値Ｔ＝±Ｎサンプル（Ｎは自然数で、ここでは例えばＮ＝１）の範囲内にあるパスタイミング（○印参照）とを有効なパスタイミングと判定してこれらのパスタイミングのチャネル推定値ｈ０を有効値とする。そして、図１１の（３）に示すように、それ以外のパスタイミング（×印参照）は雑音成分に相当するパスタイミングと判定し、そのチャネル推定値ｈ０は０に置き換える。【００７４】
これに対し、前記パス電力プロファイルが図１２の（１）に示すようになっており、１パス判定部３６での判定結果が１パス環境を示している場合、チャネル推定値制御部３５ａは、図１２の（２）に示すように、当該パス電力プロファイル中の各パスタイミングの電力値と大きい方の電力閾値Ｐ１とを比較して、当該電力閾値Ｐ１を超えるパスタイミング（◎印参照）と、それぞれのパスタイミングを基準として±Ｎサンプルの範囲内にあるパスタイミング（○印参照）とを有効なパスタイミングと判定してこれらのパスタイミングのチャネル推定値ｈ０を有効値とする。そして、図１２の（３）に示すように、それ以外のパスタイミング（×印参照）は雑音成分に相当するパスタイミングと判定し、そのチャネル推定値ｈ０は０に置き換える。【００７５】
つまり、１パス環境では、マルチパス干渉が小さく、マルチパス干渉除去効果が小さいため、チャネル推定値としては０で置き換えるタイミングを増やした方が、受信特性が良くなる。そこで、図１２に示すように、大きい方の閾値Ｐ１を用いて、より大きなチャネル推定値のタイミングも０に置き換えて、受信特性を向上し、逆に、マルチパス環境と判定された場合は、図１１に示すように、小さい方の閾値Ｐ２を用いることにより、０で置き換えられるタイミングを減らし、マルチパス干渉除去効果を増大させて、受信特性を向上するのである。【００７６】
〔５〕第４変形例の説明
図１３は既述のウェイト算出部３０の第４変形例を示すブロック図で、この図１３に示すウェイト算出部３０は、既述のチャネル推定値制御部３５に代えてチャネル推定値制御部３５ｂをそなえるほか、第３変形例にて上述した１パス判定部３６をそなえて構成されている。なお、図１３においても、図９と同様に、既述の相関行列演算ブロック３１〔タイミング遅延回路３１１，複素乗算器３１２，平均化部３１３（又は加算器３１３ａ）〕，行列演算部３２，平均化部３３，電力化部３４の図示は省略している。【００７７】
ここで、チャネル推定値制御部３５ｂは、既述の１パス判定部３６による判定結果と、既述のパス電量プロファイルと、電力閾値Ｐ０と、２つのタイミング閾値Ｔ１及びＴ２（Ｔ１，Ｔ２はいずれもサンプル数を表し、Ｔ１＞Ｔ２）とに基づいて、ＣＰＩＣＨ逆拡散部１０を通じて求められたチャネル推定値ｈ０を制御（補正）するものである。【００７８】
より詳細には、当該チャネル推定値制御部３５ｂは、例えば図１０に示すように、前記１パス判定結果が１パス環境を示す場合には、小さい方のタイミング閾値Ｔ２を用いて、電力閾値Ｐ０を超えるパスタイミングを基準としてタイミング閾値±Ｔ２（例えばＴ２＝１で±１サンプル）の範囲内にあるタイミング以外のパスタイミングのチャネル推定値ｈ０を０に置き換える一方、マルチパス環境を示す場合には、大きい方のタイミング閾値Ｔ１を用いて、電力閾値Ｐ０を超えるパスタイミングを基準としてタイミング閾値±Ｔ１サンプル（例えばＴ１＝２で±２サンプル）の範囲内にあるタイミング以外のパスタイミングのチャネル推定値を０に置き換えるようになっている。【００７９】
即ち、共通パイロット信号の逆拡散結果のパス電力プロファイルが図１４の（１）に示すようになっていると仮定して、１パス判定部３６での判定結果がマルチパス環境を示している場合、チャネル推定値制御部３５ｂは、図１４の（２）に示すように、当該電力プロファイル中の各パスタイミングの電力値と電力閾値Ｐ０とを比較して、当該電力閾値Ｐ０を超えるパスタイミング（◎印参照）と、それぞれのパスタイミングを基準として±Ｔ１（＝２）サンプルの範囲内にあるパスタイミング（○印参照）とを有効なパスタイミングと判定し、これらのパスタイミングのチャネル推定値ｈ０を有効値とする。そして、図１４の（３）に示すように、それ以外のタイミング（×印参照）のチャネル推定値ｈ０は０に置き換える。【００８０】
これに対し、前記パス電力プロファイルが図１５の（１）に示すようになっていると仮定して、１パス判定部３６での判定結果が１パス環境を示している場合、チャネル推定値制御部３５ｂは、図１５の（２）に示すように、当該電力プロファイル中の各パスタイミングの電力値と電力閾値Ｐ０とを比較して、当該電力閾値Ｐ０を超えるパスタイミング（◎印参照）と、それぞれのパスタイミングを基準として±Ｔ２（＝１）サンプルの範囲内にあるパスタイミング（○印参照）とを有効なパスタイミングと判定し、これらのパスタイミングのチャネル推定値ｈ０を有効値とする。そして、図１５の（３）に示すように、それ以外のタイミング（×印参照）は雑音成分に相当するパスのチャネル推定値ｈ０と判定して０に置き換える。【００８１】
このように、本変形例においても、１パス環境に近い環境の場合は、マルチパス干渉除去効果が小さいので、チャネル推定値としては０で置き換えるパスタイミングを増やした方が、受信特性が良くなるため、図１５に示すように、小さい方のタイミング閾値Ｔ２を用いて、より多くのチャネル推定値のパスタイミングも０に置き換えて、タップ係数算出精度を向上して受信特性を向上し、逆に、マルチパス環境と判定された場合は、図１４に示すように、大きい方のタイミング閾値Ｔ１を用いることにより、０で置き換えられるパスタイミングを減らし、マルチパス干渉除去効果を増大させて、受信特性を向上するのである。
つまり、上述した第３変形例及び第４変形例は、１パス環境かマルチパス環境かに応じて、チャネル推定値を０にする対象のパスタイミング（０で置き換えるチャネル推定値）の数を制御（増減）していることになる。したがって、当該制御を実現できさえすれば、前記の電力閾値とタイミング閾値とのいずれを制御してもよく、双方を同時に制御するようにしてもよい。
【産業上の利用可能性】
【００８２】
以上詳述したように、本発明によれば、受信電力と電力閾値とに基づいてチャネル推定値を０にする対象のパスタイミングを検出して、そのパスタイミングのチャネル推定値を０に制御する（足きり処理する）ので、イコライザのタップ係数の算出精度を向上することができ、その結果、受信特性を向上することができる。したがって、無線通信技術、特に、マルチパス干渉を除去するイコライザを適用する無線通信技術にとって極めて有用であると考えられる。
【図１】
2008136079.tif 000006
【図２】
2008136079.tif 000007
【図３】
2008136079.tif 000008
【図４】
2008136079.tif 000009
【図５】
2008136079.tif 000010
【図６】
2008136079.tif 000011
【図７】
2008136079.tif 000012
【図８】
2008136079.tif 000013
【図９】
2008136079.tif 000014
【図１０】
2008136079.tif 000015
【図１１】
2008136079.tif 000016
【図１２】
2008136079.tif 000017
【図１３】
2008136079.tif 000018
【図１４】
2008136079.tif 000019
【図１５】
2008136079.tif 000020
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
複数パスから到来する信号の各パスタイミングのチャネル推定値と前記各パス間の相関値とに基づいて得られる重み付け合成係数により、受信信号系列を重み付け合成するイコライザの制御装置であって、
前記各パスタイミングのチャネル推定値をそれぞれ求めるチャネル推定手段と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御手段と
をそなえたことを特徴とする、イコライザの制御装置。
【請求項２】
前記チャネル推定値制御手段は、
前記電力閾値を超えるパスタイミング以外のパスタイミングを、前記チャネル推定値をゼロにする対象のパスタイミングとして検出することを特徴とする、請求項１記載のイコライザの制御装置。
【請求項３】
前記チャネル推定値制御手段は、
前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出することを特徴とする、請求項１記載のイコライザの制御装置。
【請求項４】
前記チャネル推定値制御手段による制御後の前記各チャネル推定値の積と雑音推定値とに基づいて前記相関値を求める相関演算手段をさらにそなえたことを特徴とする、請求項１〜３のいずれか１項に記載のイコライザの制御装置。
【請求項５】
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記電力閾値を大きくなる方向に制御し、マルチパス状態を示していると判定されると、前記電力閾値を小さくなる方向に制御することを特徴とする、請求項１〜４のいずれか１項に記載のイコライザの制御装置。
【請求項６】
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記タイミング閾値を小さくなる方向に制御し、マルチパス状態を示していると判定されると、前記タイミング閾値を大きくなる方向に制御することを特徴とする、請求項３記載のイコライザの制御装置。
【請求項７】
請求項１〜６のいずれか１項に記載のイコライザの制御装置をそなえたことを特徴とする、無線端末。
【請求項８】
複数パスから到来する信号の各パスタイミングのチャネル推定値と前記各パス間の相関値とに基づいて得られる重み付け合成係数により、受信信号系列を重み付け合成するイコライザの制御方法であって、
前記各パスタイミングのチャネル推定値をそれぞれ求めるチャネル推定過程と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御過程と
を有することを特徴とする、イコライザの制御方法。
【手続補正２】
【補正対象書類名】明細書
【補正対象項目名】００８１
【補正方法】変更
【補正の内容】
【００８１】
このように、本変形例においても、１パス環境に近い環境の場合は、マルチパス干渉除去効果が小さいので、チャネル推定値としては０で置き換えるパスタイミングを増やした方が、受信特性が良くなるため、図１５に示すように、小さい方のタイミング閾値Ｔ２を用いて、より多くのチャネル推定値のパスタイミングも０に置き換えて、タップ係数算出精度を向上して受信特性を向上し、逆に、マルチパス環境と判定された場合は、図１４に示すように、大きい方のタイミング閾値Ｔ１を用いることにより、０で置き換えられるパスタイミングを減らし、マルチパス干渉除去効果を増大させて、受信特性を向上するのである。
つまり、上述した第３変形例及び第４変形例は、１パス環境かマルチパス環境かに応じて、チャネル推定値を０にする対象のパスタイミング（０で置き換えるチャネル推定値）の数を制御（増減）していることになる。したがって、当該制御を実現できさえすれば、前記の電力閾値とタイミング閾値とのいずれを制御してもよく、双方を同時に制御するようにしてもよい。
以上の実施形態に関し、さらに以下の付記を開示する。
〔６〕付記
（付記１）
複数パスから到来する信号の各パスタイミングのチャネル推定値と前記各パス間の相関値とに基づいて得られる重み付け合成係数により、受信信号系列を重み付け合成するイコライザの制御装置であって、
前記各パスタイミングのチャネル推定値をそれぞれ求めるチャネル推定手段と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御手段と
をそなえたことを特徴とする、イコライザの制御装置。
（付記２）
前記チャネル推定値制御手段は、
前記電力閾値を超えるパスタイミング以外のパスタイミングを、前記チャネル推定値をゼロにする対象のパスタイミングとして検出することを特徴とする、付記１記載のイコライザの制御装置。
（付記３）
前記チャネル推定値制御手段は、
前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出することを特徴とする、付記１記載のイコライザの制御装置。
（付記４）
逆拡散処理前の前記受信信号系列の積の平均により前記相関値を求める相関演算手段をさらにそなえたことを特徴とする、付記１〜３のいずれか１項に記載のイコライザの制御装置。
（付記５）
前記チャネル推定値制御手段による制御前の前記各チャネル推定値の積と雑音推定値とに基づいて前記相関値を求める相関演算手段をさらにそなえたことを特徴とする、付記１〜３のいずれか１項に記載のイコライザの制御装置。
（付記６）
前記チャネル推定値制御手段による制御後の前記各チャネル推定値の積と雑音推定値とに基づいて前記相関値を求める相関演算手段をさらにそなえたことを特徴とする、付記１〜３のいずれか１項に記載のイコライザの制御装置。
（付記７）
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記電力閾値を大きくなる方向に制御し、マルチパス状態を示していると判定されると、前記電力閾値を小さくなる方向に制御することを特徴とする、付記１〜６のいずれか１項に記載のイコライザの制御装置。
（付記８）
前記チャネル推定値制御手段は、
前記各パスタイミングの受信電力に基づいて前記受信信号系列の受信状態が非マルチパス状態を示しているか否かを判定する判定部をそなえ、
前記判定部にて前記非マルチパス状態を示していると判定されると、前記タイミング閾値を小さくなる方向に制御し、マルチパス状態を示していると判定されると、前記タイミング閾値を大きくなる方向に制御することを特徴とする、付記３記載のイコライザの制御装置。
（付記９）
付記１〜８のいずれか１項に記載のイコライザの制御装置をそなえたことを特徴とする、無線端末。
（付記１０）
複数パスから到来する信号の各パスタイミングのチャネル推定値と前記各パス間の相関値とに基づいて得られる重み付け合成係数により、受信信号系列を重み付け合成するイコライザの制御方法であって、
前記各パスタイミングのチャネル推定値をそれぞれ求めるチャネル推定過程と、
前記各パスタイミングの受信電力と所定の電力閾値とに基づいてチャネル推定値をゼロにする対象のパスタイミングを検出し、検出したパスタイミングについてのチャネル推定値をゼロに制御するチャネル推定値制御過程と
を有することを特徴とする、イコライザの制御方法。
（付記１１）
前記チャネル推定値制御過程では、
前記電力閾値を超えるパスタイミング以外のパスタイミングを、前記チャネル推定値をゼロにする対象のパスタイミングとして検出することを特徴とする、付記１０記載のイコライザの制御方法。
（付記１２）
前記チャネル推定値制御過程では、
前記電力閾値を超えるパスタイミングと、当該パスタイミングを含む所定のタイミング閾値以内の他のパスタイミングとを除くパスタイミングを、前記チャネル推定値をゼロにする対象のパスタイミングとして検出することを特徴とする、付記１０記載のイコライザの制御方法。
（付記１３）
逆拡散処理前の前記受信信号系列の積の平均により前記相関値を求めることを特徴とする、付記１０〜１２のいずれか１項に記載のイコライザの制御方法。
（付記１４）
前記チャネル推定値制御過程による制御前の前記各チャネル推定値の積と雑音推定値とに基づいて前記相関値を求めることを特徴とする、付記１０〜１２のいずれか１項に記載のイコライザの制御方法。
（付記１５）
前記チャネル推定値制御過程による制御後の前記各チャネル推定値の積と雑音推定値とに基づいて前記相関値を求めることを特徴とする、付記１０〜１２のいずれか１項に記載のイコライザの制御方法。
（付記１６）
前記チャネル推定値制御過程では、
前記各パスタイミングの受信電力に基づいて前記受信信号系列の受信状態が非マルチパス状態を示しているか否かを判定し、
前記非マルチパス状態を示していると判定されると、前記電力閾値を大きくなる方向に制御する一方、マルチパス状態を示していると判定されると、前記電力閾値を小さくなる方向に制御することを特徴とする、付記１０〜１５のいずれか１項に記載のイコライザの制御方法。
（付記１７）
前記チャネル推定値制御過程では、
前記各パスタイミングの受信電力に基づいて前記受信信号系列の受信状態が非マルチパス状態を示しているか否かを判定し、
前記非マルチパス状態を示していると判定されると、前記タイミング閾値を小さくなる方向に制御する一方、マルチパス状態を示していると判定されると、前記タイミング閾値を大きくなる方向に制御することを特徴とする、付記１２記載のイコライザの制御方法。
【国際調査報告】
2008136079.tif 000021
2008136079.tif 000022